(57)【要約】【課題】色調の変化が明確な、表現性に富んだ表示装置を提供する。【解決手段】表示装置（１００）は、光出射面を有する複数の透明な表示部（第１導光板１０、第２導光板２０、第３導光板３０）を備えており、各表示部は、それぞれの前記光出射面が互いに平行になるように離間して配置されており、各光出射面からは、互いに異なる色で構成された単色の階調画像を出力する。【選択図】図１
2018151567.tif 000002
【特許請求の範囲】
【請求項１】
光出射面を有する複数の透明な表示部を備えており、
各表示部は、それぞれの前記光出射面が互いに平行になるように、当該光出射面に垂直な方向において所定の距離だけ離間して配置されており、
各光出射面からは、互いに異なる色で構成された単色の階調画像を出力する
ことを特徴とする表示装置。
【請求項２】
３つの前記表示部を備えており、
各表示部の前記光出射面のそれぞれから、赤色、緑色、および青色単色の前記階調画像を出力する
ことを特徴とする請求項１に記載の表示装置。
【請求項３】
前記単色の階調画像を組み合わせた合成画像について、当該合成画像の少なくとも一部は、正面から見たときに白色光が見えるように赤色、緑色、および青色の各階調が最も強く設定される領域である
ことを特徴とする請求項２に記載の表示装置。
【請求項４】
前記光出射面のそれぞれから出力される、互いに異なる色で構成された単色の階調画像は、略同一のデザインである
ことを特徴とする請求項１〜３のいずれか１項に記載の表示装置。
【請求項５】
前記表示部は、入射した光を導光し、その一部を前記光出射面から出射させる導光板であり、
前記導光板は、特定の出射パターンを有する
ことを特徴とする請求項１〜４のいずれか１項に記載の表示装置。
【請求項６】
３枚の前記導光板と、
各導光板と１対１で光学的に接続された複数の光源と、を備えており、
前記光源は各導光板の端面に配置されており、
各光源は、それぞれ赤色、緑色、および青色の光を対応する前記導光板に出射する
ことを特徴とする請求項５に記載の表示装置。
【請求項７】
前記出射パターンは、前記光出射面に平行な方向の長さおよび該長さに垂直な方向の幅を有しており、
各導光板は、前記出射パターンの前記幅によって前記階調画像の階調を表現する
ことを特徴とする請求項５に記載の表示装置。
【請求項８】
前記出射パターンは、前記光出射面に平行な方向の長さおよび該長さに垂直な方向の幅を有しており、
各導光板は、前記出射パターンの前記長さによって前記階調画像の階調を表現する
ことを特徴とする請求項５に記載の表示装置。
【請求項９】
各導光板は、前記出射パターンが配置される密度によって前記階調画像の階調を表現することを特徴とする請求項５に記載の表示装置。
【請求項１０】
前記所定の距離は、１５ｍｍ以下である
ことを特徴とする請求項１〜９のいずれか１項に記載の表示装置。
【請求項１１】
前記各表示部の厚さ方向の中心間の距離は、前記表示部の厚みの２倍以上である
ことを特徴とする請求項１〜９のいずれか１項に記載の表示装置。
【請求項１２】
前記各表示部の厚さ方向の中心間の距離は、前記表示部の厚みの４倍以上である
ことを特徴とする請求項１〜９のいずれか１項に記載の表示装置。
【請求項１３】
請求項１〜１２のいずれか１項に記載の表示装置を備えており、
遊技の進行に応じて前記表示装置での表示が行われる
ことを特徴とする遊技機。
【発明の詳細な説明】
【技術分野】
【０００１】
本発明は表示装置に関する。特に、色調の変化が明確な、表現性に富んだ表示装置に関する。
【背景技術】
【０００２】
情報を画像として表示する表示装置において、表示方法を工夫することにより、ユーザに多様な情報を提供する表示装置が従来技術として知られている。例えば、特許文献１には、複数の光源の光量を変化させることにより、表示を光学的に変動させ、変化に富んだ表示を行う表示装置が開示されている。
【先行技術文献】
【特許文献】
【０００３】
【特許文献１】特開平１１−８５０７５号公報（１９９９年３月３０日公開）
【発明の概要】
【発明が解決しようとする課題】
【０００４】
しかしながら、上述のような従来技術は、赤色、緑色、および青色のＬＥＤのそれぞれから投光された光を合成した後に、透光部材の導光板を介して透光部材の前面に放出されるものである。そのため、透光部材の前面に放出される光は、略均一なものになる。したがって、単色による表示しか行えず、表現性に乏しいという問題があった。
【０００５】
本発明の一態様は、前記の問題を解決することを目的とし、色調の変化が明確な、表現性に富んだ表示装置を提供することを目的とする。
【課題を解決するための手段】
【０００６】
前記の課題を解決するために、本発明の一態様に係る表示装置は、光出射面を有する複数の透明な表示部を備えており、各表示部は、それぞれの前記光出射面が互いに平行になるように、当該光出射面に垂直な方向において所定の距離だけ離間して配置されており、各光出射面からは、互いに異なる色で構成された単色の階調画像を出力する構成である。
【０００７】
前記の構成によれば、離間して配置された各表示部の光出射面から出力された、互いに異なる色で構成された単色の階調画像を重ね合わせた合成画像を視認することができる。また、表示部同士が離間して配置されているので、光出射面に対するユーザの視点の位置によって、単色の階調画像同士の重なり具合が変化する。これにより、立体画像とは異なる、表現性に富んだ、特徴的な演出効果を備えた画像を、光出射面から出力することが可能な表示装置を提供できるという効果を奏する。
【０００８】
本発明の一態様に係る表示装置は、３つの前記表示部を備えており、各表示部の前記光出射面のそれぞれから、赤色、緑色、および青色単色の前記階調画像を出力する構成である。
【０００９】
前記の構成によれば、３つの表示部の光出射面のそれぞれから、赤色光、緑色光、および青色光による単色の階調画像を出力することができる。これにより、光の三原色に基づく色調の変化が明確な画像を出力することが可能な表示装置を提供できるという効果を奏する。
【００１０】
本発明の一態様に係る表示装置は、前記単色の階調画像を組み合わせた合成画像について、当該合成画像の少なくとも一部は、正面から見たときに白色光が見えるように赤色、緑色、および青色の各階調が最も強く設定される領域である構成である。
【００１１】
前記の構成によれば、正面から合成画像を見たときに少なくとも一部で白色の明るい表示が行われることになる。よって、白色を含むフルカラーの明るい表示を行うことができる。
【００１２】
本発明の一態様に係る表示装置において、前記光出射面のそれぞれから出力される、互いに異なる色で構成された単色の階調画像は、略同一のデザインである構成である。
【００１３】
前記の構成によれば、ユーザが光出射面の正面から見た場合に、各色の光が適宜混ざり合うことによってフルカラーの画像の表示を行うことができる。
【００１４】
本発明の一態様に係る表示装置において、前記表示部は、入射した光を導光し、その一部を前記光出射面から出射させる導光板であり、前記導光板は、特定の出射パターンを有する構成である。
【００１５】
前記の構成によれば、導光板の特定の出射パターンに応じて、光出射面から単色の階調画像が出力される。これにより、複数の導光板に対して出射パターンを適宜組み合わせることにより、色調の変化が明確な、表現性に富んだ表示装置を提供できるという効果を奏する。
【００１６】
本発明の一態様に係る表示装置は、３枚の前記導光板と、各導光板と１対１で光学的に接続された複数の光源と、を備えており、前記光源は各導光板の端面に配置されており、各光源は、それぞれ赤色、緑色、および青色の光を対応する前記導光板に出射する構成である。
【００１７】
前記の構成によれば、各導光板は、光源から出射された単色光に応じて階調画像を光出射面から出力することができる。これにより、光源に応じて単色光の組み合わせを設定することができる。
【００１８】
本発明の一態様に係る表示装置において、前記出射パターンは、前記光出射面に平行な方向の長さおよび該長さに垂直な方向の幅を有しており、各導光板は、前記出射パターンの前記幅によって前記階調画像の階調を表現する構成である。
【００１９】
前記の構成によれば、各導光板の光出射面から、出射パターンの幅によって階調を表現した、単色の階調画像を出力することができる。例えば、出射パターンの長さを導光板の間で互いに異ならせることにより、異なる階調の単色の階調画像を出力することができる。
【００２０】
本発明の一態様に係る表示装置において、前記出射パターンは、前記光出射面に平行な方向の長さおよび該長さに垂直な方向の幅を有しており、各導光板は、前記出射パターンの前記長さによって前記階調画像の階調を表現する構成である。
【００２１】
前記の構成によれば、各導光板の光出射面から、出射パターンの長さによって階調を表現した、単色の階調画像を出力することができる。例えば、出射パターンの長さを導光板の間で互いに異ならせることにより、異なる階調の単色の階調画像を出力することができる。
【００２２】
本発明の一態様に係る表示装置において、各導光板は、前記出射パターンが配置される密度によって前記階調画像の階調を表現する構成である。
【００２３】
前記の構成によれば、各導光板の光出射面から、出射パターンが配置される密度によって階調を表現した、単色の階調画像を出力することができる。例えば、出射パターンの密度を導光板の間で互いに異ならせることにより、異なる階調の単色の階調画像を出力することができる。
【００２４】
本発明の一態様に係る表示装置において、前記所定の距離は、１５ｍｍ以下である構成である。
【００２５】
前記の構成によれば、例えば遊技機などで用いられる一般的な設計サイズの場合において、ユーザの目が所定の範囲にある場合に、各導光板からの階調画像が互いに重なって見えるとともに、ユーザの目が所定の範囲から外れた場合には、各導光板からの階調画像が互いにずれて見える、という表示演出を実現することができる。
【００２６】
本発明の一態様に係る表示装置において、前記各表示部の厚さ方向の中心間の距離は、前記表示部の厚みの２倍以上である構成としてもよい。
【００２７】
本発明の一態様に係る表示装置において、前記各表示部の厚さ方向の中心間の距離は、前記表示部の厚みの４倍以上である構成としてもよい。
【００２８】
本発明の一態様に係る遊技機は、本発明の一態様に係る表示装置を備えており、遊技の進行に応じて前記表示装置での表示が行われる構成である。
【００２９】
前記の構成によれば、本発明の一態様に係る表示装置と同様の作用効果を奏する。
【発明の効果】
【００３０】
本発明の一態様によれば、色調の変化が明確な、表現性に富んだ表示装置を提供できるとう効果を奏する。
【図面の簡単な説明】
【００３１】
【図１】本発明の実施形態１に係る表示装置の概要的な模式図である。
【図２】本発明の実施形態１に係る表示装置が備える表示部の出射パターンの例を示す模式図である。
【図３】本発明の実施形態１に係る表示装置に出力された画像の例であり、図３の（ａ）は表示装置の表示面を正面から見た場合の模式図であり、図３の（ｂ）は表示装置の表示面を斜めから見た場合の模式図である。
【図４】本発明の実施形態１に係る表示装置とユーザの目の位置関係を示す模式図である。
【図５】本発明の実施形態１に係る表示装置とユーザの目の位置関係を示す模式図であり、図５の（ａ）は表示面の中央に正対するユーザが表示面の端部を見た場合における、各導光板に対する視角の差を示す模式図であり、図５の（ｂ）は表示面の一方の端部に正対するユーザが表示面の他端を見た場合における、各導光板に対する視角の差を示す模式図である。
【図６】本発明の実施形態１に係る表示装置における、導光板の厚さと導光板同士の間隔の一例を示す模式図である。
【発明を実施するための形態】
【００３２】
〔実施形態１〕
以下、本発明の実施形態１について、図１〜６を用いて詳細に説明する。
【００３３】
（表示装置の構成）
本実施形態に係る表示装置１００の要部構成について、図１を用いて説明する。図１は、本実施形態に係る表示装置１００の概要的な模式図である。
【００３４】
表示装置１００は、第１導光板１０、第２導光板２０、および第３導光板３０を備えており、第１導光板１０、第２導光板２０、および第３導光板３０には、それぞれ第１光源１１、第２光源２１、および第３光源３１が光学的に接続されている。
【００３５】
表示装置１００は、図示しない制御部の制御に基づいて、複数の透明な表示部の光出射面から、互いに異なる色で構成された単色の階調画像を出力することができる。また、表示装置１００において、各表示部は、それぞれの光出射面が互いに平行になるように離間して配置されている。つまり、ユーザは、導光板の光出射面を正面から見たときに、各導光板の光出射面から出力された単色の階調画像が重なり合った、合成画像を視認することができる。なお、単色の階調画像は、同一の画像であってもよいし、互いに異なる別の画像であってもよい。
【００３６】
具体的には、本実施形態に係る表示装置１００は、透明な表示部として第１導光板１０、第２導光板２０、および第３導光板３０を備えており、各導光板から互いに異なる色で構成された単色の階調画像を出力することができる。図示の例において、ユーザはＹ軸の正方向から表示装置１００のＸＺ平面を見たときに、第１導光板１０、第２導光板２０、および第３導光板３０のそれぞれに出力された各画像が重なり合った合成画像を視認することができる。
【００３７】
なお、以下の説明において、ユーザがＹ軸の正方向から表示装置１００のＸＺ平面を見たときに、当該ユーザに面する、第１導光板１０の光出射面を表示装置１００の表示面と呼ぶこともある。また、図示の例において、表示装置１００は複数の透明な表示部として３枚の導光板を備えているが、導光板の数は複数であればよく、例えば２枚や４枚であってもよい。
【００３８】
第１導光板１０、第２導光板２０、および第３導光板３０は、自身に入射した光を導光し、その一部を光出射面から出射させることができる。図示の例において、第１導光板１０、第２導光板２０、および第３導光板３０は、同じ大きさを有する直方体の形状を有しており、Ｙ軸方向に完全に重なるように配置されている。また、光出射面は、図におけるＸＺ平面と平行となるように配置されており、第１導光板１０と第２導光板２０、および第２導光板２０と第３導光板３０とは、その光出射面が互いに平行となるように配置されている。換言すれば、３枚の導光板同士は、自身の光出射面に垂直な方向（Ｙ軸方向）において所定の距離だけ離れて配置されている。導光板の配置に関する所定の距離の詳細については後述する。
【００３９】
さらに、各導光板は、透明な表示部であるため、例えば、第３導光板３０の光出射面から出力した単色の階調画像は、第２導光板２０および第１導光板１０を透過して、Ｙ軸の正方向に対して出力される。したがって、各導光板の光出射面から出力された、複数の単色の階調画像について、ユーザはそれらが重ね合さった合成画像として視認することができる。
【００４０】
また、各導光板は、特定の出射パターンを有しており、当該出射パターンに応じて光出射面から光を出射させることができる。導光板が有する出射パターンの一例を、図２に示す。図２は、本実施形態に係る表示装置１００が表示部として備える第１導光板１０の出射パターンの例を示す模式図である。
【００４１】
図示の例において、第１導光板１０は、複数の出射パターン１２を備えている。出射パターン１２は、入射した光の方向を変えて光出射面から出射させる光出射部として機能する領域である。出射パターン１２は、例えばプリズムであり、図示の例によれば、Ｚ軸方向の負方向から正方向へ向けて入射した光について、Ｙ軸の正方向へ向けて出射させることができる。また、複数の出射パターン１２によって構成される、第１導光板１０全体で表示される階調画像は、配置される出射パターン１２の幅ｗ、長さｌ、および密度の少なくともいずれか１つを場所によって変化させることによって表現される。ここで、光出射面に平行な方向の長さを出射パターン１２の長さｌとし、該長さに垂直な方向の幅を幅ｗとする。すなわち、出射パターン１２は、光出射面に平行な方向の長さｌおよび該長さに垂直な方向の幅ｗを有している。そして、第１導光板１０は、出射パターンの幅によって階調画像の諧調を表現することができる。なお、図２は第１導光板１０に関する説明であるが、第２導光板２０および第３導光板３０についても同様のことが言える。
【００４２】
なお、図２に示す例では、入射した光を出射パターン１２において反射させて光出射面から出射させるようになっているが、これに限定されるものではない。例えば、入射した光を出射パターン１２において透過・屈折させて光出射面から出射させるようになっていてもよい。
【００４３】
第１光源１１、第２光源２１、および第３光源３１は、第１導光板１０、第２導光板２０、および第３導光板３０のそれぞれに対して１対１で光学的に接続された光源である。図示の例において、Ｚ軸の正方向を上側としたときに、第１光源１１、第２光源２１、および第３光源３１は、第１導光板１０、第２導光板２０、および第３導光板３０の下側の端面にそれぞれ接続されているが、接続位置はとくに限定されない。また、３つの光源は、図示しない制御部の制御に基づいて、それぞれが対応する導光板に光を出射することができる。
【００４４】
本実施形態において、第１光源１１、第２光源２１、および第３光源３１は、それぞれ異なる色の光を第１導光板１０、第２導光板２０、および第３導光板３０のそれぞれに対して出射する。このとき、ユーザは、第１光源１１から出射された光で構成された単色の階調画像に、第２光源２１からの光で構成された画像と、第３光源３１からの光で構成された画像とを重ね合わせて見ることによって、本来の色調で出力された画像を視認することができる。なお、第１光源１１、第２光源２１、および第３光源３１のそれぞれから出射する光の色の組み合わせはどのようなものであってもよい。例えば、光の三原色である赤色、緑色、および青色の光を、第１光源１１、第２光源２１、および第３光源３１のそれぞれから出射する構成であってもよい。このとき、赤色、緑色、および青色単色の階調画像を重ね合わせた合成画像は、色調の変化が明確なフルカラーの画像として視認される。また、導光板が３枚ではなく、例えば２枚および４枚である場合は、２色および４色の単色光を各光源のそれぞれから出射する構成であってもよい。
【００４５】
（視点位置による画像の見え方の違い）
表示装置１００の光出射面に対するユーザの視点位置による画像の見え方の違いについて、図３を用いて説明する。図３は、本実施形態に係る表示装置１００に出力された画像の例であり、図３の（ａ）は表示装置の表示面を正面から見た場合の模式図であり、図３の（ｂ）は表示装置の表示面を斜めから見た場合の模式図である。
【００４６】
なお、図示の例において、各導光板は、その光出射面の中心が重なるように配置されている。そして、ユーザは、各導光板の光出射面の中心を貫くＹ軸上の任意の地点から光出射面を見たときに、単色の階調画像同士がずれることなく重なり合った、本来の色調で出力された画像を視認することができるものとする。
【００４７】
図３の（ａ）は、ユーザが３枚の導光板の光出射面の中心を貫くＹ軸上の任意の地点から光出射面を見たときに視認できる画像の例である。上述したように、本実施形態に係る表示装置１００は、３枚の導光板の光出射面のそれぞれから、異なる色の光で構成された単色の階調画像を出力する。そして、３つの光照射面のそれぞれから出力された３つの単色の階調画像がずれることなく重ねて見たときに、本来の色調で出力された画像を視認することができる。
【００４８】
逆に言えば、本来の色調で出力された画像は、図３の（ａ）の場合のように、各導光板が光出射面から出力する単色の階調画像同士が完全に重なるように見える位置から見たときのみ、視認することができる。例えば、ユーザが光出射面を斜めから見たときは、ユーザと各導光板との間でなす視角にずれが生じるので、３枚の導光板の光出射面のそれぞれから出力された３つの単色の階調画像は、互いにずれた位置で重なり合うことになる。
【００４９】
図３の（ｂ）は、ユーザが３枚の導光板の光出射面の中心を貫くＹ軸上の任意の地点から、画像に向かって右側へずれた位置より光照射面を見たときに視認できる画像の例である。図示の例において、第１導光板１０の光出射面から出力された単色の階調画像は、第２導光板２０から出力された単色の階調画像および第３導光板３０から出力された単色の階調画像と完全には重ならず、ずれを生じる。このとき、単色の階調画像同士が重なり合った部分については、単色の階調画像の色が混色された中間色を視認することができ、重なり合わなかった部分については、単色の階調画像のみを視認することとなる。
【００５０】
このように、本実施形態に係る表示装置１００は、その光出射面に対するユーザの視点位置によって、異なる画像の見え方を提供することができる。これにより、表示装置１００は、通常のフルカラー画像とは異なる、特徴的な演出効果を備えた画像を、光出射面から出力することが可能となる。
【００５１】
（ユーザの目の位置に応じた視角の差の具体例）
本実施形態に係る表示装置１００をユーザが見たときの、ユーザの目の位置に応じた視角の差の具体例について、図４、図５の（ａ）、および図５の（ｂ）を用いて説明する。図４は、本実施形態に係る表示装置１００とユーザの目の位置関係を示す模式図である。図５の（ａ）は光出射面の中央に正対するユーザに対する、各導光板の端部からの視角の差を示す模式図であり、図５の（ｂ）は光出射面の一方の端部に正対するユーザに対する、各導光板の他端からの視角の差を示す模式図である。なお、図４、図５の（ａ）、および図５の（ｂ）の各図は、ユーザおよび表示装置１００を上から見た図である。
【００５２】
なお、図４、図５の（ａ）、および図５の（ｂ）において、３枚の導光板の長さはいずれも６００ｍｍであり、導光板同士の間は１５ｍｍの間隔が空けられているものとする。さらに、ユーザは導光板の光出射面に対して正対しており、ユーザの目から第１導光板１０の光出射面までの距離は６００ｍｍであるものとする。
【００５３】
ここで、ユーザの目が、第１導光板１０の左端の正面から右端の正面の間に位置している状態では、図３の（ａ）に示すような状態でユーザに視認される一方、ユーザの目が、第１導光板１０の左端の正面から右端の正面の間から外れて位置している状態では、図３の（ｂ）に示すような状態でユーザに視認されるようにする表示演出することを想定する。ここで、ユーザの目が、第１導光板１０の左端の正面から右端の正面の間に位置している状態では、ユーザの目の正面方向から左右に４５度の視角の範囲に第１導光板１０における表示画像が含まれることになる。
【００５４】
図４において、表示装置１００の第１導光板１０、第２導光板２０、および第３導光板３０のそれぞれの光出射面の中心を貫く直線上に、ユーザの両目の中央が重なるようにユーザの両目が配置されているものとする。また、ユーザは光出射面に正対しており、両目の間は７０ｍｍだけ離れているものとする。このとき、ユーザが第１導光板１０の光照射面の中心を見ると、当該ユーザは３枚の導光板のそれぞれの光照射面から出力された単色の階調画像がほぼ重なり合った、本来の色調の画像を視認することができる。
【００５５】
図５の（ａ）において、図４と同様に、３枚の導光板のそれぞれの光出射面の中心を貫く直線上に両目の中央が重なるようにユーザの両目が配置されているものとする。そして、ユーザは、右目で第１導光板１０の光出射面の右端を見ているものとする。このとき、ユーザの右目には、第１導光板１０、第２導光板２０、および第３導光板３０のそれぞれの光出射面の右端から出射した光が入射する。ここで、ユーザの目から各導光板の光出射面までの距離は、導光板同士の間に所定の距離として１５ｍｍの間隔が設定されているため、互いに異なっている。これにより、ユーザの右目と各導光板の右端とのなす視角は、互いに異なる値となる。前記の位置関係の場合、ユーザの右目と第１導光板１０の右端のなす視角は、ユーザの右目と第２導光板２０の右端のなす視角に対して、約０．６°大きな値となる。なお、視角の差は、ユーザの右目と各導光板の右端とのなす視角が大きくなると、より大きくなる。
【００５６】
図５の（ｂ）は、基本的な構成は図５の（ａ）と同一であるが、ユーザの両目は、第１導光板１０の左端に正対するように配置されている。このとき、ユーザの右目と各導光板の光射出面の右端とのなす視角は、図５の（ａ）の場合よりも大きくなる。したがって、ユーザの右目と各導光板の右端とのなす視角の差は、より大きなものとなる。図示の例では、ユーザの右目と第１導光板１０の右端のなす視角は、ユーザの右目と第２導光板２０の右端のなす視角に対して、約０．７°大きな値となる。
【００５７】
なお、視角の差が約０．７°よりも大きくなると、ユーザは各導光板から出力された単色の階調画像のそれぞれを別の画像として認識するおそれがある。ここで、導光板同士の間の距離が１５ｍｍよりも大きくなると、上記の視角の差が０．７°よりも大きくなる。よって、上記のような表示演出を実現するためには、導光板同士の間の距離は１５ｍｍ以下とすることが好ましい。
【００５８】
（導光板の配置間隔）
上記では、導光板同士の間の距離を１５ｍｍ以下とすることが好ましい例について説明したが、これに限定されるものではない。以下に導光板同士の間の所定の距離の別の設定例として、導光板の厚みに基づいた設定例について、図６を用いて説明する。図６は、本実施形態に係る表示装置１００における、導光板の厚さと導光板同士の間隔の一例を示す模式図である。なお、図６は、ユーザおよび表示装置１００を上から見た図であり、図示の例において、第３導光板３０は省略している。
【００５９】
いま、第１導光板１０および第２導光板２０の厚みが、ともにＴ（ｍｍ）であるとする。そして、各導光板の厚さ方向の中心間は、厚みの２倍である２Ｔ（ｍｍ）だけ離れているものとする。すなわち、第１導光板１０と第２導光板２０との間は、Ｔ（ｍｍ）だけ離れているものとする。このように、各導光板の厚さ方向の中心間の距離を、導光板の厚さに応じて設定してもよい。
【００６０】
なお、各導光板の厚さ方向の中心間の距離を、各導光板の厚みの２倍以上としてもよいし、４倍以上としてもよい。
【００６１】
このように、各導光板の厚さ方向の中心間の距離を、導光板の厚さに応じて設定した場合、例えば第２導光板２０からユーザの反対側に漏れた光の一部は、第３導光板３０の表面で反射し、ユーザ側に出力される。この、ユーザから見て手前側の導光板から出射し、奥側の導光板にて反射された光を利用すると、フルカラーの画像の視認、およびユーザの視点が移動したときの単色の階調画像の重なり具合の変化にさらなるバリエーションを与えることができる。
【００６２】
以上のように、本実施形態に係る表示装置１００において、ユーザは、離間して配置された各表示部の光出射面から出力された、互いに異なる色で構成された単色の階調画像を重ね合わせた合成画像を視認することができる。これにより、色調の変化が明確な、表現性に富んだ表示装置を提供できるという効果を奏する。また、表示部同士が離間して配置されているので、光出射面に対するユーザの視点の位置によって、単色の階調画像同士の重なり具合が変化する。これにより、立体画像とは異なる、特徴的な演出効果を備えた画像を、光出射面から出力することが可能な表示装置を提供できるという効果を奏する。
【００６３】
なお、合成画像の視認性を向上させるために、単色の階調画像のそれぞれの階調を補正してもよい。例えば、合成画像の少なくとも一部は、当該合成画像を正面から見たときに白色光が見えるように赤色、緑色、および青色の各階調が最も強く設定される領域として設定されてもよい。
【００６４】
また、各導光板の光出射面のそれぞれから出力される、互いに異なる色で構成された単色の階調画像は、略同一のデザインであってもよい。このとき、ユーザが光出射面の正面から見た場合に、各色の光が適宜混ざり合うことによってフルカラーの画像の表示を行うことができる。
【００６５】
さらに、各導光板が有する出射パターンは、互いに異なるものであってもよい。例えば、光出射面において、光を出射する領域の幅ｗ、長さｌ、および密度などが互いに異なる出射パターンを有する導光板を組み合わせて表示装置１００に用いてもよい。
【００６６】
本実施形態において、導光板同士は、所定の距離だけ離れて配置されている。このように、導光板同士を光学的に密着させないことで、単色の階調画像に異なる色の光が混入することを抑制することができる。なお、導光板同士は所定の距離だけ離れて配置されていればよく、例えば、導光板同士の密着を防止するフィルムを間に挿入する構成であってもよい。
【００６７】
〔実施形態２〕
本発明の実施形態２について、以下に説明する。本実施形態に係る遊技機は、前記実施形態１に係る表示装置１００を備えている。
【００６８】
遊技機は、遊技の進行に応じて表示装置１００から画像を出力する構成を備えている。また、遊技機は、ユーザが当該遊技機を操作する際、ユーザの目の正面に表示装置１００が位置するように当該表示装置１００を配置していることが好適である。遊技機は、特にその種類を限定するものではないが、例えばパチンコおよびスロット機であってもよい。このとき、遊技機は、遊技の進行に応じて表示装置１００から画像を出力すると同時に、ユーザが視点位置を変化させたときに異なる画像の見え方を当該ユーザに提供することができる。
【００６９】
〔変形例〕
前記各実施形態において、表示装置１００は、自身が備える複数の導光板すべてを用いて単色の階調画像を出力する構成であった。しかし、複数の導光板のすべてを常に用いる必要はない。例えば、３枚の導光板のうち、任意の２枚の導光板から単色の階調画像を出力する構成であってもよい。これにより、出力する画像の種類に応じて単色の階調画像の組み合わせを適切に設定し、より表現性に富んだ表示装置を実現することができる。
【００７０】
〔まとめ〕
本発明の態様１に係る表示装置（１００）は、光出射面を有する複数の透明な表示部（第１導光板１０、第２導光板２０、第３導光板３０）を備えており、各表示部は、それぞれの前記光出射面が互いに平行になるように、当該光出射面に垂直な方向において所定の距離だけ離間して配置されており、各光出射面からは、互いに異なる色で構成された単色の階調画像を出力する構成である。
【００７１】
前記の構成によれば、離間して配置された各表示部の光出射面から出力された、互いに異なる色で構成された単色の階調画像を重ね合わせた合成画像を視認することができる。また、表示部同士が離間して配置されているので、光出射面に対するユーザの視点の位置によって、単色の階調画像同士の重なり具合が変化する。これにより、立体画像とは異なる、表現性に富んだ、特徴的な演出効果を備えた画像を、光出射面から出力することが可能な表示装置を提供できるという効果を奏する。
【００７２】
本発明の態様２に係る表示装置（１００）は、前記態様１において、３つの前記表示部（第１導光板１０、第２導光板２０、第３導光板３０）を備えており、各表示部の前記光出射面のそれぞれから、赤色、緑色、および青色単色の前記階調画像を出力する構成としてもよい。
【００７３】
前記の構成によれば、３つの表示部の光出射面のそれぞれから、赤色光、緑色光、および青色光による単色の階調画像を出力することができる。これにより、光の三原色に基づく色調の変化が明確な画像を出力することが可能な表示装置を提供できるという効果を奏する。
【００７４】
本発明の態様３に係る表示装置（１００）は、前記態様２において、前記単色の階調画像を組み合わせた合成画像について、当該合成画像の少なくとも一部は、正面から見たときに白色光が見えるように赤色、緑色、および青色の各階調が最も強く設定される領域である構成としてもよい。
【００７５】
前記の構成によれば、正面から合成画像を見たときに少なくとも一部で白色の明るい表示が行われることになる。よって、白色を含むフルカラーの明るい表示を行うことができる。
【００７６】
本発明の態様４に係る表示装置（１００）は、前記態様１〜３のいずれかにおいて、前記光出射面のそれぞれから出力される、互いに異なる色で構成された単色の階調画像は、略同一のデザインである構成としてもよい。
【００７７】
前記の構成によれば、ユーザが光出射面の正面から見た場合に、各色の光が適宜混ざり合うことによってフルカラーの画像の表示を行うことができる。
【００７８】
本発明の態様５に係る表示装置（１００）は、前記態様１〜４のいずれかにおいて、前記表示部（第１導光板１０、第２導光板２０、第３導光板３０）は、入射した光を導光し、その一部を前記光出射面から出射させる導光板（１０、２０、３０）であり、前記導光板は、特定の出射パターンを有する構成としてもよい。
【００７９】
前記の構成によれば、導光板の特定の出射パターンに応じて、光出射面から単色の階調画像が出力される。これにより、複数の導光板に対して出射パターンを適宜組み合わせることにより、色調の変化が明確な、表現性に富んだ表示装置を提供できるという効果を奏する。
【００８０】
本発明の態様６に係る表示装置（１００）は、前記態様２において、３枚の前記導光板（１０、２０、３０）と、各導光板と１対１で光学的に接続された複数の光源（第１光源１１、第２光源２１、第３光源３１）と、を備えており、前記光源は各導光板の端面に配置されており、各光源は、それぞれ赤色、緑色、および青色の光を対応する前記導光板に出射する構成としてもよい。
【００８１】
前記の構成によれば、各導光板は、光源から出射された単色光に応じて階調画像を光出射面から出力することができる。これにより、光源に応じて単色光の組み合わせを設定することができる。
【００８２】
本発明の態様７に係る表示装置（１００）は、前記態様５において、前記出射パターンは、前記光出射面に平行な方向の長さおよび該長さに垂直な方向の幅を有しており、各導光板（１０、２０、３０）は、前記出射パターンの前記幅によって前記階調画像の階調を表現する構成としてもよい。
【００８３】
前記の構成によれば、各導光板の光出射面から、出射パターンの幅によって階調を表現した、単色の階調画像を出力することができる。例えば、出射パターンの長さを導光板の間で互いに異ならせることにより、異なる階調の単色の階調画像を出力することができる。
【００８４】
本発明の態様８に係る表示装置（１００）は、前記態様５において、前記出射パターンは、前記光出射面に平行な方向の長さおよび該長さに垂直な方向の幅を有しており、各導光板（１０、２０、３０）は、前記出射パターンの前記長さによって前記階調画像の階調を表現する構成としてもよい。
【００８５】
前記の構成によれば、各導光板の光出射面から、出射パターンの長さによって階調を表現した、単色の階調画像を出力することができる。例えば、出射パターンの長さを導光板の間で互いに異ならせることにより、異なる階調の単色の階調画像を出力することができる。
【００８６】
本発明の態様９に係る表示装置（１００）は、前記態様５において、各導光板（１０、２０、３０）は、前記出射パターンが配置される密度によって前記階調画像の階調を表現する構成としてもよい。
【００８７】
前記の構成によれば、各導光板の光出射面から、出射パターンが配置される密度によって階調を表現した、単色の階調画像を出力することができる。例えば、出射パターンの密度を導光板の間で互いに異ならせることにより、異なる階調の単色の階調画像を出力することができる。
【００８８】
本発明の態様１０に係る表示装置（１００）は、前記態様１〜９において、前記所定の距離は、１５ｍｍ以下である構成としてもよい。
【００８９】
前記の構成によれば、例えば遊技機などで用いられる一般的な設計サイズの場合において、ユーザの目が所定の範囲にある場合に、各導光板からの階調画像が互いに重なって見えるとともに、ユーザの目が所定の範囲から外れた場合には、各導光板からの階調画像が互いにずれて見える、という表示演出を実現することができる。
【００９０】
本発明の態様１１に係る表示装置（１００）は、前記態様１〜９のいずれかにおいて、前記各表示部の厚さ方向の中心間の距離は、前記表示部の厚みの２倍以上である構成としてもよい。
【００９１】
前記の構成によれば、表示部（第１導光板１０、第２導光板２０、第３導光板３０）の厚みの２倍以上の離間距離を空けて平行に配置された複数の表示部について、光出射面のそれぞれから、互いに異なる色で構成された単色の階調画像を出力することができる。
【００９２】
本発明の態様１２に係る表示装置（１００）は、前記態様１〜９のいずれかにおいて、前記各表示部の厚さ方向の中心間の距離は、前記表示部の厚みの４倍以上である構成としてもよい。
【００９３】
前記の構成によれば、表示部の厚みの４倍以上の離間距離を空けて平行に配置された複数の表示部について、光出射面のそれぞれから、互いに異なる色で構成された単色の階調画像を出力することができる。
【００９４】
本発明の態様１３に係る遊技機は、前記態様１〜１２のいずれかの表示装置（１００）を備えており、遊技の進行に応じて前記表示装置での表示が行われる構成としてもよい。
【００９５】
前記の構成によれば、態様１の表示装置と同様の作用効果を奏する。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９７】
１００  表示装置
１０  第１導光板（表示部）
２０  第２導光板（表示部）
３０  第３導光板（表示部）
１１  第１光源（光源）
２１  第２光源（光源）
３１  第３光源（光源）
１２  出射パターン
【図１】
2018151567.tif 000003
【図２】
2018151567.tif 000004
【図３】
2018151567.tif 000005
【図４】
2018151567.tif 000006
【図５】
2018151567.tif 000007
【図６】
2018151567.tif 000008